(57)【要約】【課題】家具やＯＡ機器の裏面形状の如何に関わらず、簡単に設置でき、かつ床材等が傷ついたり設置跡が残ったり、横滑りするのを防止できる敷きマットを提供する。【解決手段】ＳＢＳ樹脂からなるシート状の第１層４と、塩化ビニール樹脂からなり、前記第１層４上に接合されたシート状の第２層５と、塩化ビニール樹脂からなり、前記第２層５を覆うように配設されたシート状の第３層６とを含み、前記第３層６に、防水加工及び抗菌加工，防炎加工，抗カビ加工の少なくとも一つの加工が施されている敷きマット１。【選択図】      図３
0003163483.tif 000002
【実用新案登録請求の範囲】
【請求項１】
ＳＢＳ樹脂からなるシート状の第１層と、塩化ビニール樹脂からなり、前記第１層上に接合されたシート状の第２層と、塩化ビニール樹脂からなり、前記第２層を覆うように配設されたシート状の第３層とを含み、
前記第３層に、防水加工及び抗菌加工，防炎加工，抗カビ加工の少なくとも一つの加工が施されていることを特徴とする敷きマット。
【請求項２】
請求項１に記載の敷きマットにおいて、
前記第１層の下面に、シボ加工が施されている
ことを特徴とする敷きマット。
【考案の詳細な説明】
【技術分野】
【０００１】
本考案は、例えば、家具や電化製品と床材との間に介在させることにより、家具や電化製品の重量で床材が傷付いたり設置跡が残るのを防止し、また家具や電化製品が地震時等に横滑りするのを防止する敷きマットに関する。
【背景技術】
【０００２】
家具やテレビ等を床材上に、あるいはＯＡ機器を机上に直接配置すると、床材や机に傷が付き易いといった問題がある。この問題を回避するために、従来から、家具，ＯＡ機器と床材，机との間に介在させる敷きマットが提案されている。例えば、特許文献１には、素材のポリエチレンに適度の粘着力を持たせ、机上のＯＡ機器やテレビ等の底に貼り付ける転倒・落下防止マットが提案されている。
【先行技術文献】
【特許文献】
【０００３】
【特許文献１】実用新案登録第３０３５０５０号
【考案の概要】
【考案が解決しようとする課題】
【０００４】
前記従来の転倒・落下防止マットは、ＯＡ機器等の裏面に貼り付けるようになっているため、ＯＡ機器の裏面の形状に応じて貼り付け個数や貼り付け場所を決める必要があり、取付け作業が煩雑という問題があった。
【０００５】
本考案は、前記従来の状況に鑑みてなされたもので、家具やＯＡ機器の裏面形状の如何に関わらず、簡単に設置でき、かつ床材等が傷ついたり設置跡が残ったり、横滑りするのを防止できる敷きマットを提供することを課題としている。
【課題を解決するための手段】
【０００６】
請求項１の考案は、ＳＢＳ樹脂からなるシート状の第１層と、塩化ビニール樹脂からなり、前記第１層上に接合されたシート状の第２層と、塩化ビニール樹脂からなり、前記第２層を覆うように配設されたシート状の第３層とを含み、前記第３層に、防水加工及び抗菌加工，防炎加工，抗カビ加工の少なくとも一つの加工が施されていることを特徴とする敷きマットである。
【０００７】
請求項２の考案は、請求項１に記載の敷きマットにおいて、前記第１層の下面に、シボ加工が施されていることを特徴としている。
【考案の効果】
【０００８】
請求項１の考案によれば、敷きマットを、ＳＢＳ樹脂からなる第１層と、塩化ビニール樹脂からなる第２層とを一体的に接合した構成としたので、例えば冷蔵庫とフローリングとの間に介在させることにより、冷蔵庫の重量によりフローリングが傷ついたり、設置跡が残るのを防止でき、また地震時においても冷蔵庫等の横滑りを防止できる。
【０００９】
詳細には、ＳＢＳ樹脂製の第１層と塩化ビニール樹脂製の第２層とを単独ではなく、一体的に複合させたので、塩化ビニール樹脂からなる第２層が、その軟質性に起因して弾力性が大きいため、冷蔵庫等の重量がフローリング等に伝わるのを緩和でき、加えて、安定したゴム弾性を有するＳＢＳ樹脂からなる第１層が荷重を反発・分散・緩和させ、その結果、フローリング等に傷を付けにくく、冷蔵庫等の設置跡が残るのを防止できる。
【００１０】
また、ＳＢＳ樹脂の特性である大きな滑り抵抗力と冷蔵庫等の荷重との相乗効果により強固な密着状態が得られ、敷きマットがフローリング等上を滑りにくくなる。
【００１１】
また、第２層の表面を、防水効果を有する塩化ビニール樹脂製の第３層により覆うとともに、この第３層を構成する塩化ビニール樹脂に、抗菌成分・防炎成分・抗カビ成分の少なくとも１つを練り込ませたので、防水効果が得られるとともに、抗菌効果・防炎効果・抗カビ効果の少なくとも１つが得られる。
【００１２】
また、本考案の敷きマットは、前記従来のマットのように家具等の裏面形状に合せて貼り付けるのではなく、単に家具等とフローリング等との間に敷くものであるから、敷設作業が簡単である。
【００１３】
請求項２の考案によれば、第１層の下面にシボ加工を施したので、敷きマットとフローリング等との密着性がさらに高まり、横滑りをさらに確実に防止できる。
【図面の簡単な説明】
【００１４】
【図１】本考案の実施例による敷きマットの使用状態を示す正面図である。
【図２】前記敷きマットの平面斜視図である。
【図３】前記敷きマットの構成を示す断面拡大図である。
【考案を実施するための形態】
【実施例】
【００１５】
以下、本考案の実施例を添付図面に沿って説明する。
【００１６】
図１〜図３は、本考案の実施例１による敷きマットを説明するための図である。
【００１７】
図において、１は敷きマットである。この敷きマット１は、フローリング２と冷蔵庫３との間に敷設される。この敷きマット１は、使用対象となる家具や電化製品あるいはＯＡ機器に対応したサイズや形状に設定されている。例えば、冷蔵庫３を使用対象とする場合は、例えば８０センチメートル×９０センチメートル程度の長方形となっている。
【００１８】
前記敷きマット１は、前記冷蔵庫３のサイズや形状に対応した第１層４と、該第１層４の上面に一体的に接合された第２層５と、該第２層５の表面を覆うように配設された第３層６とで構成されている。
【００１９】
前記第１層４は、ＳＢＳ（スチレンブタジェンブロック共重合体）樹脂で構成され、シート状をなしている。この第１層４の下面にはシボ加工が施されている。
【００２０】
また前記第２層５は、軟質又は半硬質の塩化ビニール（ＰＶＣ）樹脂の発泡剤で構成され、長方形のシート状をなしている。この第２層５は、熱圧着により、又は接着剤により前記第１層４に一体的に接合されている。
【００２１】
前記第３層６は、防水効果を有する塩化ビニール樹脂製のフィルムからなり、第２層５の表面を覆う被覆層となっており、該第２層５に接着剤等で接合されている。
【００２２】
そして前記第３層６には、これを構成する塩化ビニール樹脂に抗菌成分・防炎成分・抗カビ成分を練り込ませることにより、抗菌加工，防炎加工，抗カビ加工が施されている。
【００２３】
本実施例の敷きマット１は、例えば引越し時に、フローリング２上に敷設され、該敷きマット１上に冷蔵庫３等の重量物が配置される。
【００２４】
そして本実施例では、敷きマット１を、例えばフローリング２上に敷いてこれの上に冷蔵庫３を設置するようにしたので、塩化ビニール樹脂からなる第２層５が、その軟質性に起因して弾力性が大きいため、冷蔵庫３の重量がフローリング２に伝わるのを緩和でき、加えて、安定したゴム弾性を有するＳＢＳ樹脂からなる第１層４が荷重を反発・分散・緩和させ、その結果、フローリング２に傷を付けにくく冷蔵庫３の設置跡が残るのを防止できる。
【００２５】
また、第１層４を構成するＳＢＳ樹脂の有する大きな滑り抵抗力と冷蔵庫３の荷重との相乗効果により、敷きマット１とフローリング２との強固な密着状態が得られ、敷きマット１がフローリング２上を滑りにくくなる。
【００２６】
さらにまた、第１層４の下面にシボ加工を施したので、敷きマット１とフローリング２との密着性がさらに高まり、横滑りをさらに確実に防止できる。
【００２７】
また、第２層５の表面を塩化ビニール樹脂製の第３層により覆うとともに、この第３層６を構成する塩化ビニール樹脂に、抗菌成分・防炎成分・抗カビ成分を練り込ませたので、塩化ビニール樹脂による防水効果が得られるとともに、抗菌効果・防炎効果・抗カビ効果が得られる。
【００２８】
また、本実施例の敷きマット１は、前記従来のマットのように家具等の裏面形状に合せて貼り付けるのではなく、冷蔵庫３とフローリング２との間に敷くものであるから、敷設作業が簡単である。
【００２９】
なお、前記実施例では、第３層６として防水効果を有する塩化ビニール樹脂フィルムを採用したが、該第３層６に別個に防水加工を施しても良い。また前記第３層６に、必ずしも抗菌加工，防炎加工，抗カビ加工の全てを施す必要はなく、少なくともその１つの加工を施せば良い。
【００３０】
また、本考案の敷きマットは、電化製品の他、ダイニングテーブル等の家具とフローリング等の床材との間に敷設し、あるいはパソコン等のＯＡ機器とデスクとの間に敷設することも勿論可能である。
【符号の説明】
【００３１】
１  敷きマット
４  第１層
５  第２層
６  第３層
【図１】
0003163483.tif 000003
【図２】
0003163483.tif 000004
【図３】
0003163483.tif 000005